(57)【特許請求の範囲】
【請求項１】
椅子の支基上に設けられた座板取付金具と、
前記座板取付金具に、前後方向に移動可能、かつ前後移動可能範囲の一端において装着可能とした座板と、
前記座板と前記座板取付金具との間において、前記座板の後部に設けられ、前記座板が、前後移動可能範囲の後部から前後移動可能範囲の前端である装着可能位置に達する前に、座板取付金具の後端に当接して、前記座板の装着可能位置への移動を阻止するようにしたストッパとを備えることを特徴とする座の前後位置調整装置。
【請求項２】
座板取付金具に前後方向を向く長孔を穿設し、座板の裏面に突設した鍔付き取付軸を、前記長孔に挿通させることにより、前後移動可能とした請求項１記載の座の前後位置調整装置。
【請求項３】
長孔の一端に、鍔付き取付軸の鍔より大径の大径孔を設けることにより、前記取付軸を大径孔に挿通可能とし、もって座板を装着可能位置において座板取付金具に装着可能とした請求項２記載の座の前後位置調整装置。
【発明の詳細な説明】
【技術分野】
【０００１】
本発明は、座の前後位置調整装置に関する。
【背景技術】
【０００２】
従来の回転椅子には、背凭れに寄り掛かる座者の荷重により、背凭れが後方に揺動し、かつ座が傾動するとともに前後動するようにしたものがある。このような機構のものは、座者の座り心地を改善し、疲労感をなくすという利点がある(例えば特許文献１参照)。
【先行技術文献】
【特許文献】
【０００３】
【特許文献１】特開２００２−２８２０８６号広報
【発明の概要】
【発明が解決しようとする課題】
【０００４】
近年のパソコン等のＯＡ機器の普及により、回転椅子において、座の傾動機構に加えて、背凭れや肘掛けに対する座の前後位置を微妙に調節して、机上のパソコンのキーボード使用時における座者の背凭れおよび肘掛けに対する関係位置を最適に保ちたいという要求が生じている。これは、座者の体格の相違による個人差に基づくものである。
【０００５】
本発明は、上述の問題点に鑑み、簡単な構造により、回転椅子の座の前後位置を調整でき、また座の前後位置の調整中に座が外れるおそれのない座の前後位置調整装置を提供することを目的としている。
【課題を解決するための手段】
【０００６】
本発明によると、上記課題は、次のようにして解決される。
(１)椅子の支基上に設けられた座板取付金具と、前記座板取付金具に、前後方向に移動可能、かつ前後移動可能範囲の一端において装着可能とした座板と、前記座板と前記座板取付金具との間において、前記座板の後部に設けられ、前記座板が、前後移動可能範囲の後部から前後移動可能範囲の前端である装着可能位置に達する前に、座板取付金具の後端に当接して、前記座板の装着可能位置への移動を阻止するようにしたストッパとを備えるものとする。
【０００７】
このような構成とすると、簡単な機構で、容易に座の前後位置の調節を行うことができる。
また、座の前後位置を調整するため、座を座板取付金具の装着可能位置から移動させた状態で、装着可能位置に向かって移動させたとき、装着可能位置に達する前に、ストッパによって停止される。したがって、座板が座板取付金具の装着可能位置から取り外されることがないため、座が外れるおそれがない。
さらに、ストッパの構成を簡単にできるとともに、座板を、座板取付金具の装着可能位置に達する前に、確実に停止させることができる。
【０００８】
(２) 上記(１)項において、座板取付金具に前後方向を向く長孔を穿設し、座板の裏面に突設した鍔付き取付軸を、前記長孔に挿通させることにより、前後移動可能とする。
【０００９】
このような構成とすると、簡単な構成で、座板を、座金取付金具の装着可能位置から移動させることができる。
【００１０】
(３) 上記(２)項において、長孔の一端に、鍔付き取付軸の鍔より大径の大径孔を設けることにより、前記取付軸を大径孔に挿通可能とし、もって座板を装着可能位置において座板取付金具に装着可能とする。
【００１１】
このような構成とすると、簡単な構成で、座板を座板取付金具に装着することができるとともに、装着可能位置から移動させることができ、さらに座板の前後位置を調整中に、座が座板取付金具の取付位置から外れるおそれがさらになくなる。
【発明の効果】
【００１２】
本願発明の座の前後位置調整装置によると、簡単な機構で、容易に座の前後位置の調節を行うことができる。また、座の前後位置の調節中に、座が外れるおそれがなくなる。
【図面の簡単な説明】
【００１３】
【図１】本発明装置の一実施形態を備えた回転椅子の分解斜視図である。
【図２】図１に示す椅子の座板取付金具の斜視図である。
【図３】同じく、座板取付金具の平面図である。
【図４】同じく、座板の裏面図である。
【図５】同じく、座板取付金具と座板とを、離した状態で示す側面図である。
【図６】同じく、座板取付金具と座板とを、結合した状態で示す側面図である。
【図７】変形例の座板取付金具と座板とを、離した状態で示す斜視図である。
【発明を実施するための形態】
【００１４】
図１は、本発明装置の一実施形態を備えるキャスター付き回転椅子の分解斜視図で、キャスター付きの脚１の上面中央に、支基２が回転自在に装架されている。支基２の後部において左右方向に延びる横軸３には、背凭れ４の左右を支持し、その下端から前方に延びる背杆５の先端に設けた左右方向を向く軸筒６が軸着されている。座板取付金具７の後部左右の軸受部８には、背凭れ４の背杆５の中間位置に設けられた耳片９が回動可能に収容され、軸受部８の外端には、肘掛け支柱１０の下端部が取り付けられている。
【００１５】
座板取付金具７の前端部には、下方に突出する耳片１１が設けられ、耳片１１は、これが、支基２の前部に設けた長孔１２に、ピンにより取り付けられている。
【００１６】
図１〜図３に示すように、座板取付金具７は、後部の左右方向に延びる横杆１３の左右端部に、前後方向に延びる断面上向コ形のレール１４を、強固に溶接して構成されている。
【００１７】
横杆１３は、鋼板を断面上向きコ字状に曲げ、その両端を水平方向外側に曲げてフランジとしたもので、両端部付近を上部から切り欠き、この切り欠き部分に、レール１４をはめ込んで溶接してある。
【００１８】
レール１４も、同様に鋼板を断面上向きコ字状に曲げて形成してなり、その内側端は、水平に曲げてフランジ１４ａが形成されており、フランジ１４ａの前端部付近には、多数段の凹溝１５(図示の場合６段)が、前後方向に列設されている。この凹溝１５は、後述する座板の突起に嵌合する被係合部を構成している。
【００１９】
レール１４の前部及び後部において、その底片には、大径孔１６ａと、これに引き続いて後方に向かって延びる小径の長孔１６ｂとからなる取付孔１６が穿設されている。
なお、レール１４の前部の内側には、前述の耳片１１が設けられている。
【００２０】
図１に示す座１７の下部における座板１８は、図４に示すように、その裏面に、レール部７の外側の立ち上がり部の内側に接する位置に、前後方向に長く延びる突条２０を備えている。
【００２１】
また、図４及び図５に示すように、座板１８の裏面には、座板取付金具７のレール１４に穿設した取付孔１６に対応して突設した鍔付き取付軸１９が、下方に向けて突設されている。この取付軸１９の鍔１９ａの径は、取付孔１６の大径孔１６ａよりも若干小径とされている。また、取付軸１９の径は、長孔１６ｂの幅と同じか、若干小径とされている。
なお、図４には、座板取付金具７の取付孔１６の位置も併せて示してある。
【００２２】
座板１８の裏面の前部付近には、座板取付金具７のレール１４の凹溝１５に対応する左右位置に、係合部を構成する２つの突起２１ａを備える突起部材２１が取り付けられている。
【００２３】
さらに、図４及び図５に示すように、座板１８の後部には、座板取付金具７のレール１４に対応する左右方向位置にストッパ２２が取り付けられる。
【００２４】
座板１８の下面に突設された突条２０を、レール１４の外側の立ち上がり部の内側に接するようにして挿入するとともに、取付軸１９の鍔１９ａを、座板取付金具７の取付孔１６の大径孔１６ａに上方より挿通する。このように、座板取付金具７の大径孔１６ａに、座板１８における取付軸１９の鍔１９ａを挿通させることにより、座板取付金具７に座板１８を装着することができ、このときの座板１８が配置される位置を、座板取付金具７の装着可能位置と呼ぶ。
【００２５】
このような挿通状態から、座板１８を若干上方に持ち上げ加減にしながら後方に引くと、座板１８の突条２０はレール１４により案内されて、座板１８は後方に移動し、取付軸１９は取付孔１６の長孔１６ｂにはまりこむ。手を離すと、座板１８の突起２１ａは、凹溝１５に嵌合する。
【００２６】
この状態で、ストッパ２２を座板１８の後部に固定すると、座板１８を同様にして前方に移動させても、ストッパ２２がレール１４の後端に当接して、取付軸１９が取付孔１６の大径孔１６ａまで達せず、従って座板１８が座板取付金具７から外れなくなる。
【００２７】
座１７の前後位置の調節に当たっては、図６に示すように、座板１８の前端を点線矢印で示すようにやや持ち上げ、座板１８の下面の突起２１ａを、座板取付金具７のレール部１４の凹溝１５から離す。取付軸１９の長さは、これを可能とするに充分な長さとされている。
【００２８】
この状態で、図６の上部に点線矢印により示すように、座板１８を前後方向に移動させて所望位置とし、座板１８の前部を下ろすと、突起２１ａは、新たた凹溝１５と係合し、その位置で係止される。
【００２９】
図７は、本発明の変形例を示すもので、突起２３は、座板１８の後部中央に設けられており、かつ座板取付金具７の横杆１３の中央に、対応する凹溝２４が設けられている。この例では、座の後端を持ち上げて前後位置の調整を行う。
【００３０】
なお、図示は省略するが、凹溝１５をレール１４のフランジ１４ａ自体に設けず、フランジ１４ａの内側に別部材として取り付けることもできる。
【符号の説明】
【００３１】
１脚
２支基
３横軸
４背凭れ
５背杆
６軸筒
７座板取付金具
８軸受部
９耳片
１０肘掛け支柱
１１耳片
１２長孔
１３横杆
１４レール
１４ａフランジ
１５凹溝(被係合部)
１６取付孔
１６ａ大径孔
１６ｂ長孔
１７座
１８座板
１９取付軸
１９ａ鍔
２０突条
２１突起部材
２１ａ突起(係合部)
２２ストッパ
２３突起
２４凹溝
【図１】
0005438045.tif 000002
【図２】
0005438045.tif 000003
【図３】
0005438045.tif 000004
【図４】
0005438045.tif 000005
【図５】
0005438045.tif 000006
【図６】
0005438045.tif 000007
【図７】
0005438045.tif 000008